(57)【要約】    【課題】  本発明は、外部からの振動や衝撃を内部の被収納物に伝えにくく、かつ、外部からの振動や衝撃が内部に伝わっても被収納物と共に揺動する緩衝性包装用容器を提供することを目的とする。    【解決手段】本実施例に係る緩衝性包装用容器１０は、上方が開口し、周囲に壁部２２を有する有底の容体２０を備え、壁部２２は一対の対向側壁２３を含み、該対向側壁２３が上方に向かって対称的に離間して拡開する形態をなし、該対向側壁２３のそれぞれには、その頂部２４で外側へ折り返されて外側下方へ連続し、該対向側壁２３の上下長さより長い垂下片３０が延設されており、該対向側壁２３と該垂下片３０とが少許の間隔Ｓをおいて結合されている。    【選択図】  図１
2005145521.tif 000002
【特許請求の範囲】
【請求項１】
上方が開口し、周囲に壁部を有する有底の容体を備え、該壁部が上方に向かって拡開する形態をなし、該壁部には、その頂部で外側下方へ連続し、該壁部の上下長さより長い垂下片が延設されており、該壁部と該垂下片とが少許の間隔をおいて結合されていることを特徴とする緩衝性包装用容器。
【請求項２】
上方が開口し、周囲に少なくとも一対の対向側壁を含む壁部を有する有底の容体を備え、該対向側壁がそれぞれ上方に向かって拡開する形態をなし、該対向側壁のそれぞれには、その頂部で外側下方へ連続し、該対向側壁の上下長さより長い垂下片が延設されており、該対向側壁と該垂下片とが少許の間隔をおいて結合されていることを特徴とする緩衝性包装用容器。
【請求項３】
上方が開口し、周囲に少なくとも一対の対向側壁を含む壁部を有する有底の容体を備え、該対向側壁が上方に向かって互いに対称的に離間する形態をなし、該対向側壁のそれぞれには、その頂部で外側へ折り返され、該対向側壁の上下長さより長い垂下片が延設されており、該対向側壁と該垂下片とが少許の間隔をおいて結合されていることを特徴とする緩衝性包装用容器。
【発明の詳細な説明】
【技術分野】
【０００１】
本発明は、例えば果実のような比較的損傷しやすい物品を輸送する際に使用する包装用容器に関し、被収納物に加わる衝撃を緩和して輸送中の損傷を防止する緩衝性包装用容器に関する。
【背景技術】
【０００２】
例えば、果実等の表面が柔らかい被収納物は、輸送中の振動や衝撃により損傷を受けやすく、その解決策として、衝撃や振動に十分耐え得る包装箱や振動及び衝撃を緩和する緩衝枠、あるいは発泡スチロールやウレタンフォームからなる緩衝材が使用されている。
【発明の開示】
【発明が解決しようとする課題】
【０００３】
しかしながら、上記従来の包装箱や緩衝枠は外部からの振動や衝撃を内部の被収納物に伝えにくい利点があるものの、包装箱や緩衝枠と被収納物、または被収納物同士とが擦れ合うことにより、被収納物である例えば果実等の外面が損傷し、商品価値が低下するおそれがある。一方、発泡スチロールやウレタンフォームからなる緩衝材は、緩衝特性に優れるものの、その再生、廃棄あるいは焼却処理に問題があり、環境保護が社会問題になっている現状においては、このような緩衝材の使用は制限せざるを得なくなっているのが実情である。
【０００４】
そこで、本発明者は、鋭意研究を重ねた結果、包装箱内の緩衝枠として機能し、また、そのもの自体で包装箱として機能するものであって、外部からの振動や衝撃を内部の被収納物に伝えにくく、かつ、外部からの振動や衝撃が内部に伝わっても被収納物と共に揺動する緩衝性包装用容器を開発した。
【課題を解決するための手段】
【０００５】
本発明に係る緩衝性包装用容器（以下、単に「容器」という。）は、上方が開口し、周囲に壁部を有する有底の容体を備え、該壁部が上方に向かって拡開する形態をなし、該壁部には、その頂部で外側下方へ連続し、該壁部の上下長さより長い垂下片が延設されており、該壁部と該垂下片とが少許の間隔をおいて結合されていることを特徴とするものである。
【０００６】
上記のように構成したことにより、壁部の外側に延設された垂下片が壁部より上下長さが長いため、この垂下片により容体が浮き上がる状態となる。そして、該垂下片は、壁部と少許の間隔をおいて結合されており、壁部は上方に向かって拡開する形態をなすため、該垂下片も上方に向かって拡開する形態をなすので、垂下片の下端は上端より窄んだ状態となる。そして、容器に対して上下方向の振動あるいは衝撃が加わると、すなわち容器と容器を載置した床面とを近づけようとする方向に力が加わるときには、垂下片の下端が壁部に近接しながら湾曲するので、それに伴って容体が若干下降し、この容体の下降が容器に対して容器と容器を載置した床面とを近づけようとする力を弾力的に受け止めることとなる。そして、容器に対して容器と容器を載置した床面とを近づけようとする力が解除されると垂下片の下端が壁部から離れ、容体が浮上することにより、容体が元の高さに戻る。なお、前記垂下片に下方から切れ目あるいはスリットを設けてもよい。
【０００７】
また、本発明に係る容器は、上方が開口し、周囲に少なくとも一対の対向側壁を含む壁部を有する有底の容体であって、該対向側壁がそれぞれ上方に向かって拡開する形態をなし、該対向側壁のそれぞれには、その頂部で外側下方へ連続し、該対向側壁の上下長さより長い垂下片が延設されており、該対向側壁と該垂下片とが少許の間隔をおいて結合されているように構成してもよく、さらに、本発明に係る容器は、上方が開口し、周囲に少なくとも一対の対向側壁を含む壁部を有する有底の容体であって、該対向側壁が上方に向かって互いに対称的に離間する形態をなし、該対向側壁のそれぞれには、その頂部で外側へ折り返され、該対向側壁の上下長さより長い垂下片が延設されており、該対向側壁と該垂下片とが少許の間隔をおいて結合されているように構成してもよい。
【０００８】
上記のように構成したことにより、一対の対向側壁の外側に延設された垂下片が対向側壁より上下長さが長いため、この垂下片により容体が浮き上がる状態となる。そして、該垂下片は、対向側壁と少許の間隔をおいて結合されており、対向側壁は上方に向かって拡開するか又は互い対称的に離間する形態をなすため、該垂下片も上方に向かって拡開するか又は互い対称的に離間する形態をなすので、垂下片の下端は上端より窄んだ状態となる。そして、容器に対して上下方向の振動あるいは衝撃が加わると、すなわち容器と容器を載置した床面とを近づけようとする方向に力が加わるときには、垂下片の下端が対向側壁側に近接しながら湾曲するので、それに伴って容体が若干下降し、この容体の下降が容器に対して容器と容器を載置した床面とを近づけようとする力を弾力的に受け止めることとなる。そして、容器に対して容器と容器を載置した床面とを近づけようとする力が解除されると垂下片の下端が対向側壁から離れて元の状態に戻ることにより、容体が元の高さに戻る。
【０００９】
また、容器に横方向からの衝撃あるいは振動が加わると、垂下片により容体が浮き上がる状態になっており、垂下片は、対向側壁と少許の間隔をおいて結合されているので、例えば容器に右から力が加わると右側の対向側壁がその隣接する垂下片から離れる方向に移動し、左側の対向側壁がその隣接する垂下片に近接する方向に移動することにより容体は右から左へ移動する。逆に容器に左から力が加わると左側の対向側壁がその隣接する垂下片から離れる方向に移動し、右側の対向側壁がその隣接する垂下片に近接する方向に移動することにより容体は左から右へ移動する。この容体の移動が容器に対する横方向からの衝撃あるいは振動の力を弾力的に受け止めることとなる。
【発明の効果】
【００１０】
本発明に係る容器は、上方が開口し、周囲に壁部を有する有底の容体を備え、該壁部が上方に向かって拡開する形態をなし、該壁部には、その頂部で外側下方へ連続し、該壁部の上下長さより長い垂下片が延設されており、該壁部と該垂下片とが少許の間隔をおいて結合されている構成したことにより、容器に対する上下方向の振動あるいは衝撃に対し、前記垂下片の弾力性により容体が上下に揺動して緩衝効果が果たされる。なお、前記垂下片に下方から切れ目あるいはスリットを設けると効果的である。
【００１１】
また、本発明に係る容器は、上方が開口し、周囲に少なくとも一対の対向側壁を含む壁部を有する有底の容体を備え、該対向側壁がそれぞれ上方に向かって拡開する形態をなし、該対向側壁のそれぞれには、その頂部で外側下方へ連続し、該対向側壁の上下長さより長い垂下片が延設されており、該対向側壁と該垂下片とが少許の間隔をおいて結合されているように構成してもよく、さらに、本発明に係る容器は、上方が開口し、周囲に少なくとも一対の対向側壁を含む壁部を有する有底の容体を備え、該対向側壁が上方に向かって互いに対称的に離間する形態をなし、該対向側壁のそれぞれには、その頂部で外側へ折り返され、該対向側壁の上下長さより長い垂下片が延設されており、該対向側壁と該垂下片とが少許の間隔をおいて結合されているように構成したことにより、容器に対する上下方向の振動あるいは衝撃に対し、前記垂下片の弾力性により容体は上下に揺動して緩衝効果が果たされ、また、容器に対する横方向からの衝撃あるいは振動に対し、前記垂下片の弾力性により容体は横方向に揺動して緩衝効果が発揮される。
【発明を実施するための最良の形態】
【００１２】
以下、本発明に係る緩衝性包装用容器の好適な実施例を添付の図面に基づいて詳細に説明する。
【実施例１】
【００１３】
図１は本実施例に係る容器の斜視図であり、図２は容器の垂下片を水平に広げた状態を示す容器の平面図であり、図３は図１のＡ−Ａ断面図であり、図４は容器に上下方向からの力が作用した状態の容器の動きを示す断面図であり、図５は容器に横方向からの力が作用した状態の容器の動きを示す断面図である。
【００１４】
各図において、１０は本実施例に係る容器である。該容器１０は、上方が開口し、周囲に壁部２２を有する有底の容体２０を備えている。
【００１５】
前記容体２０の壁部２２は一対の対向側壁２３を含んでおり、該対向側壁２３が上方に向かって互いに対称的に離間して拡開する形態をなしている。
【００１６】
３０は垂下片であり、垂下片３０は、前記容体２０の対向側壁２３のそれぞれの頂部２４において、その頂部２４から外側へ折り返されて外側下方へ連続して延設されたものである。そして、該垂下片３０は、該対向側壁２３の上下長さより長く形成され、該対向側壁２３と該垂下片３０とが少許の間隔Ｓをおいて結合されている。
【００１７】
前記の対向側壁２３と該垂下片３０とが少許の間隔Ｓをおいて結合する方法としては、各図に示すように、容体２０の対向側壁２３に切り込みによる対向側壁舌片２６を設け、垂下片３０に前記対向側壁２３に対応する切り込みによる垂下片舌片３６を設け、対向側壁舌片２６を垂下片舌片３６に嵌合して結合し、垂下片３０が外方に広がろうとする復元力を対向側壁舌片２６により規制するように構成する。なお、垂下舌片３６を対向側壁舌片２６に嵌合させてもよい。
【００１８】
上記のように本実施例に係る容器１０を構成したことにより、一対の対向側壁２３の外側に延設された垂下片３０が対向側壁２３より上下長さが長いため、図３に示すように、この垂下片３０により容体２０が浮き上がる状態となる。該垂下片３０は、対向側壁２３と少許の間隔Ｓをおいて結合されており、対向側壁２３は上方に向かって互いに対称的に離間して拡開する形態をなすため、該垂下片３０も上方に向かって互いに対称的に離間して拡開する形態をなすので、図３に示すように、垂下片３０の下端３１は上端３２より窄んだ状態となる。
【００１９】
上記構成の容器１０に対して、図４に示すように、上下方向の振動あるいは衝撃が加わると、すなわち容器１０と容器１０を載置した床面Ｅとを近づけようとする方向に力Ｐ１が加わると、垂下片３０の下端３１が対向側壁２３側に矢符ａで示すように近接しながら湾曲するので、それに伴って容体２０と床面Ｅとの間隔が縮まって、容体２０が若干下降する状態となり（容体２０の下降は相対的に床面Ｅの上昇となるので、図４においては便宜上床面Ｅが上昇した図を表した）、この容体２０の下降が容器１０に対して容器１０と容器１０を載置した床面Ｅとを近づけようとする力を弾力的に受け止めることとなる。そして、容器１０に対して容器１０と容器１０を載置した床面Ｅとを近づけようとする力が解除されると垂下片３０の下端３１が対向側壁２３から離れて元の状態に戻ることにより、容体が元の高さに戻る。
【００２０】
したがって、容器１０に対する上下方向の振動あるいは衝撃に対し、前記垂下片３０の弾力性により容体２０は上下に揺動して緩衝効果が果たされる。
【００２１】
また、前述したように、容器１０は、垂下片３０により容体２０が浮き上がる状態になっているので、容器１０に横方向からの衝撃あるいは振動が加わると、垂下片３０は、対向側壁２３と少許の間隔Ｓをおいて結合されているので、例えば図５に示すように、容器１０に左から力Ｐ２が加わると左側の対向側壁２３ｂが矢符ｂ１で示すようにその隣接する左側の垂下片３０ｂから離れる方向に移動し、右側の対向側壁２３ａが矢符ｂ２で示すようにその隣接する右側の垂下片３０ａに近接する方向に移動することにより容体２０は左から右へ移動する。逆に容器１０に右から力が加わると右側の対向側壁２３ａがその隣接する右側の垂下片３０ａから離れる方向に移動し、左側の対向側壁２３ｂがその隣接する左側の垂下片３０ｂに近接する方向に移動することにより容体２０は右から左へ移動する。この容体２０の移動が容器１０に対する横方向からの衝撃あるいは振動の力を弾力的に受け止めることとなる。
【００２２】
したがって、容器１０に対する横方向からの衝撃あるいは振動に対し、前記垂下片３０の弾力性により容体は横方向に揺動して緩衝効果が発揮される。
【産業上の利用可能性】
【００２３】
本発明に係る緩衝性包装用容器は、果実のような比較的損傷しやすい物品のみならず、電子機器、割れ物、その他の振動や衝撃による影響が大きい製品の包装用容器に適している。
【図面の簡単な説明】
【００２４】
図５は容器に横方向からの力が作用した状態の容器の動きを示す断面図である。
【図１】本実施例に係る緩衝性包装用容器の斜視図である。
【図２】本実施例に係る緩衝性包装用容器の垂下片を水平に広げた状態を示す容器の平面図である。
【図３】図１のＡ−Ａ断面図である。
【図４】本実施例に係る緩衝性包装用容器に上下方向からの力が作用した状態の容器の動きを示す断面図である。
【図５】本実施例に係る緩衝性包装用容器に横方向からの力が作用した状態の容器の動きを示す断面図である。
【符号の説明】
【００２５】
１０・・・緩衝性包装用容器
２０・・・容体
２２・・・壁部
２３・・・対向側壁
２３ａ・・右側の対向側壁
２３ｂ・・左側の対向側壁
２４・・・対向側壁の頂部
２６・・・対向側壁舌片
３０・・・垂下片
３０ａ・・右側の垂下片
３０ｂ・・左側の垂下片
３１・・・垂下片の下端
３２・・・垂下片の上端
３６・・・垂下片舌片
Ｓ・・・・少許の間隔
Ｅ・・・・床面
Ｐ１・・・容器と床面とを近づけようとする方向の力
ａ・・・・垂下片の下端が対向側壁側に近接する移動量
Ｐ２・・・容器に左から加わる力
ｂ１・・・左側の対向側壁が左側の垂下片から離れる移動量
ｂ２・・・右側の対向側壁が右側の垂下片に近接する移動量
【図１】
2005145521.tif 000003
【図２】
2005145521.tif 000004
【図３】
2005145521.tif 000005
【図４】
2005145521.tif 000006
【図５】
2005145521.tif 000007